(57)【要約】【課題】予混合室におけるコーキングの発生を抑制することができる予混合バーナを提供する。【解決手段】液体燃料１０２を霧化し圧縮空気１００と混合して燃焼室７に供給する予混合バーナ９において、内周部に予混合室２００を形成する円筒状の部材であって周胴部に複数のスリット２０１を有する混合室壁２０と、混合室壁２０の上流側に位置する液体燃料ノズル１０とを備え、スリット２０１は、混合室壁２０の側面から見て液体燃料ノズル１０側から燃焼室７側に延在するとともに、液体燃料ノズル１０側の端部における予混合室壁２０の中心軸Ｃに直交する断面で見ると、予混合室２０の接線に沿って予混合室２００に接続していて、周方向に隣接するもの同士が混合室壁２０の内周面上で接しこれら隣接するもの同士を隔てる混合室壁２０の断面が楔型となるように、混合室壁２０の周方向に少なくとも４つ存在している。【選択図】  図２
2016035358.tif 000002
【特許請求の範囲】
【請求項１】
液体燃料を霧化し圧縮空気と混合して燃焼室に供給する予混合バーナにおいて、
内周部に予混合室を形成する円筒状の部材であって周胴部に複数のスリットを有する混合室壁と、
前記混合室壁の上流側に位置する液体燃料ノズルとを備え、
前記スリットは、前記混合室壁の側面から見て前記液体燃料ノズル側から燃焼室側に延在するとともに、前記液体燃料ノズル側の端部における前記予混合室壁の中心軸に直交する断面で見ると、前記予混合室の接線に沿って前記予混合室に接続していて、周方向に隣接するもの同士が前記混合室壁の内周面上で接しこれら隣接するもの同士を隔てる前記混合室壁の断面が楔型となるように、前記混合室壁の周方向に少なくとも４つ存在していることを特徴とする予混合バーナ。
【請求項２】
請求項１の予混合バーナにおいて、
前記スリットは、前記中心軸を含む面と平行な面状に形成されていることを特徴とする予混合バーナ。
【請求項３】
請求項１の予混合バーナにおいて、
前記混合室壁の側面から見て前記中心軸に対して前記スリットが一方向に傾斜していて、前記中心軸に直交する前記混合室壁の断面で見て、当該断面の位置が前記燃焼室に近付くにつれて、前記スリットの流路断面の中心線が前記中心軸に向かって移動し、前記スリットの流路断面の前記中心軸に対するオフセット量が減少していくことを特徴とする予混合バーナ。
【請求項４】
請求項１の予混合バーナにおいて、
前記混合室壁の側面から見て前記中心軸に対して前記スリットが一方向に傾斜していて、前記中心軸に直交する前記混合室壁の断面で見て、当該断面の位置が前記燃焼室に近付くにつれて、前記スリットの流路断面の中心線が前記中心軸を跨いで移動し、前記スリットの流路断面の前記中心軸に対するオフセット量がゼロまで減少した後、増加していくことを特徴とする予混合バーナ。
【請求項５】
請求項１−４のいずれかの予混合バーナを備えたことを特徴とするガスタービン燃焼器。
【請求項６】
圧縮機と、
請求項５のガスタービン燃焼器と、
タービンとを備えたことを特徴とするガスタービン。
【発明の詳細な説明】
【技術分野】
【０００１】
本発明は、ガスタービン燃焼器に用いる予混合バーナに関する。
【背景技術】
【０００２】
近年の環境負荷低減の機運の下、ガスタービン燃焼器のＮＯｘ排出量低減が重要視されている。ＮＯｘ排出量を低減する方法としては、一般に予混合燃焼が知られている。予混合燃焼とは、予混合室内で空気と混合してから燃料を燃焼室に供給して燃焼する方法で、局部的な高温領域の発生を抑えることで、サーマルＮＯｘを低減することができる。
【０００３】
予混合燃焼を採用したガスタービン燃焼器は多数提唱されており、混合室壁によって燃料ノズルの下流側に予混合室を形成し、混合室壁に設けた複数の空気導入孔から予混合室に圧縮空気（燃焼用空気）を導入するように構成したものがある（特許文献１等参照）。
【先行技術文献】
【特許文献】
【０００４】
【特許文献１】特開２０１３−１７７９９６号公報
【発明の概要】
【発明が解決しようとする課題】
【０００５】
しかしながら、混合室壁に空気導入孔を設けた構成にあっては、混合室壁の内周面における隣り合う空気導入孔の間の部分に流れの淀み域が生じる。液体燃料を用いる場合、混合室壁の内周面の淀み域に臨む部分に燃料液滴が付着することがあり、付着した液体燃料は圧縮空気の熱で揮発し、炭素成分のみが析出し固化して炭化物となる（以下、この燃料の炭化現象をコーキングと呼ぶ）。コーキングが発生し進展すると空気導入孔が閉塞し、圧縮空気の適正な供給流量が得られなくなり、混合性能の悪化や燃料濃度の上昇によってＮＯｘ排出量が増加し得る。また、析出した炭化物が飛散し、下流のタービン翼等の損傷に繋がる可能性もある。
【０００６】
本発明は上記事情に鑑みなされたものであり、予混合室におけるコーキングの発生を抑制することができる予混合バーナを提供することを目的とする。
【課題を解決するための手段】
【０００７】
上記目的を達成するために、本発明は、液体燃料焚きの予混合バーナにおいて、バーナの周方向に複数のスリット形状の空気導入孔を形成し、混合室内部への燃料液滴の付着を抑制し、コーキングの発生を防止する。
【発明の効果】
【０００８】
本発明によれば、予混合室におけるコーキングの発生を抑制することができる。
【図面の簡単な説明】
【０００９】
【図１】本発明の第１実施形態に係る予混合バーナを備えたガスタービンプラントの概略図である。
【図２】本発明の第１実施形態に係る予混合バーナ９の外観を表す斜視図である。
【図３Ａ】図２に示した予混合バーナ９の中心軸を含む縦断面図である。
【図３Ｂ】図３Ａ中のIIIB−IIIB線による矢視断面図である。
【図３Ｃ】図３Ａ中のIIIC−IIIC線による矢視断面図である。
【図４Ａ】比較例における混合室壁内周面付近の燃料液滴の挙動を模式的に示した図であって当該混合室壁の中心軸に直交する断面を表す図である。
【図４Ｂ】本実施形態における混合室壁内周面付近の燃料液滴の挙動を模式的に示した図であって当該混合室壁の中心軸に直交する断面を表す図である。
【図５】本発明の第２実施形態に係る予混合バーナの外観を表す側面図である。
【図６Ａ】図５に示した予混合バーナの中心軸を含む縦断面図である。
【図６Ｂ】図６Ａ中のVIB−VIB線による矢視断面図である。
【図６Ｃ】図６Ａ中のVIC−VIC線による矢視断面図である。
【図６Ｄ】図６Ａ中のVID−VID線による矢視断面図である。
【図７】本発明の第３実施形態に係る予混合バーナの外観を表す側面図である。
【図８Ａ】図７に示した予混合バーナの中心軸を含む縦断面図である。
【図８Ｂ】図８Ａ中のVIIIB−VIIIB線による矢視断面図である。
【図８Ｃ】図８Ａ中のVIIIC−VIIIC線による矢視断面図である。
【図８Ｄ】図８Ａ中のVIIID−VIIID線による矢視断面図である。
【発明を実施するための形態】
【００１０】
以下に図面を用いて本発明の実施の形態を説明する。
【００１１】
（第１実施形態）
１．ガスタービンプラント
図１は本発明の第１実施形態に係る予混合バーナを備えたガスタービンプラントの概略図である。
【００１２】
図１に示したガスタービンプラントは、ガスタービンと、ガスタービンにより駆動される負荷機器とを備えている。本実施形態では、負荷機器として発電機４を備えた場合を例示している。ガスタービンは、空気を圧縮して高圧の圧縮空気１００を生成する圧縮機１と、この圧縮機１から導入される圧縮空気１００と燃料を混合して燃焼ガス１０４を生成する燃焼器２と、燃焼ガス１０４を導入して駆動されるタービン３とを備えている。タービン３の出力軸は発電機４に接続し、発電機４はタービン３によって駆動されて発電する。
【００１３】
２．ガスタービン燃焼器
燃焼器２は、圧縮空気１００と燃料を燃焼して燃焼ガス１０４を生成する燃焼室を形成する内筒７と、内筒７を収納した外筒５と、外筒５の一端に設置したエンドカバー６と、エンドカバー６に取り付けられた拡散燃焼バーナ８と、複数の予混合バーナ９とを備えている。
【００１４】
拡散燃焼バーナ８は拡散火炎１０５を形成するものであって、本実施形態においては内筒７の上流側の軸中心位置に設けられている。拡散燃焼バーナ８は、その軸中心上流位置に液体燃料１０２を噴射する液体燃料ノズル１１を１つ備えている。予混合バーナ９は、液体燃料を霧化し圧縮空気と予め混合して燃焼室に供給することによって低ＮＯｘ化に有効な予混合火炎１０３を形成するものであって、本実施形態においては拡散燃焼バーナ８を囲むように複数配置されている。各予混合バーナ９は、予混合室２００を形成する混合室壁２０と、液体燃料１０２を噴射する液体燃料ノズル１０とを備えている。液体燃料ノズル１０は、混合室壁２０の中心軸上の上流側に位置している。
【００１５】
３．予混合バーナ
図２は本発明の第１実施形態に係る予混合バーナ９の外観を表す斜視図、図３Ａは図２に示した予混合バーナ９の中心軸を含む縦断面図、図３Ｂは図３Ａ中のIIIB−IIIB線による矢視断面図、図３Ｃは図３Ａ中のIIIC−IIIC線による矢視断面図である。
【００１６】
混合室壁２０は、内周部に予混合室２００を形成する円筒状の部材であって、周胴部に複数のスリット２０１を有している。スリット２０１は予混合室２００に圧縮空気１００を導入するための空隙であり、混合室壁２０の周方向に４つ以上（本実施形態では８つ）配置されている。
【００１７】
スリット２０１は、混合室壁の側面から見て、液体燃料ノズル１０側から燃焼室７側に延在している。つまり、例えば混合室壁２０の内周面及び外周面におけるスリット２０１の開口形状は、混合室壁２０の周方向にとった長さに比べて軸方向にとった長さが長い形状（本実施形態では矩形状）をしている。スリット２０１により形成される流路はフラットな平面状（圧縮空気の流通に十分な厚みがあることは言うまでもない）に形成されていて、特に本実施形態においては、スリット２０１は、混合室壁２０の中心軸Ｃを含む面と平行に形成されている。そのため、混合室壁２０のスリット２０１を含む断面（中心軸Ｃと直交する断面）は軸方向のどこで切断しても同一形状であり、次に説明するように形成されている。
【００１８】
スリット２０１は、中心軸Ｃに直交する混合室壁２０の断面（図３Ｂ又は図３Ｃ参照）で見ると、予混合室２００の接線に沿って予混合室２００に接続している。具体的には、スリット２０１は予混合室２００に導入する空気に旋回を与えるため（旋回流１０６を形成するため）中心軸Ｃに対してオフセットして予混合室２００に接続していて、例えば図３Ｂ又は図３Ｃの断面において１つのスリット２０１を確定する２本の線分のうち中心軸Ｃからのオフセット量が大きい方の線分が予混合室２００の接線（つまり混合室壁２０の内周壁面の接線）上に位置している。そして、同断面で見ると、周方向に隣接する２つのスリット２０１は混合室壁２０の内周面上で接し、これら隣接する２つのスリット２０１を隔てる混合室壁２０の断面は楔型をしている。具体的には、前述した１つのスリット２０１を確定する２本の線分のうち中心軸Ｃからのオフセット量が小さい方の線分（便宜上、ここでは第１の線分という）が、隣接するスリット２０１を確定する２本の線分のうち中心軸Ｃからのオフセット量が長い方の線分（便宜上、ここでは第２の線分という）と混合室壁２０の内周面上で交わっており、混合室壁２０の断面における第１及び第２の線分に挟まれた部分が第１及び第２の線分の交点（第２の線分の接点）を頂部とする楔型を形成している。予混合室２００に導入する空気に積極的に旋回成分を付与するためには、中心軸Ｃに直交する断面において１つのスリット２０１を確定する２つの線分は中心軸Ｃに対して同じ側にオフセットしている必要があり（スリット２０１が中心軸Ｃに対向していてはならず）、この条件下で２つのスリット２０１を隔てる混合室壁２０の断面が楔型となるためには、１つの混合室壁２０に対するスリット２０１の数量は周方向に少なくとも４つ必要である。
【００１９】
なお、本実施形態における予混合バーナ９は、液体燃料１０２の他、気体燃料１０１を用いることができるデュアルバーナである。各スリット２０１の液体燃料ノズル１０側の壁面には気体燃料噴射孔２０２が少なくとも１つずつ開口しており、気体燃料噴射孔２０２には気体燃料配管２０３が接続している。これにより、スリット２０１を流れる圧縮空気１００の流れに気体燃料噴射孔２０２から気体燃料１０１を噴射することができるようになっている。
【００２０】
４．動作
ここでは、予混合バーナ９の燃焼動作について説明する。
【００２１】
（１）液体燃料噴射時
液体燃料供給系統（不図示）を経由して液体燃料ノズル１０に導かれた液体燃料１０２は、予混合室２００に噴霧される（微細な燃料液滴として噴出する）。このとき、予混合室２００にはスリット２０１を介して圧縮機１（図１参照）からの圧縮空気１００が流入し、予混合室２００に旋回流を形成している。予混合室２００に噴出した微細な燃料液滴の慣性力は小さく、圧縮空気１００の旋回流に効果的に同伴する。こうして燃料液滴を同伴した旋回流は他のスリット２０１から同様にして流入した旋回流と衝突し、このこと等によって液体燃料１０２と圧縮空気１００との混合が促進され、混合むらの少ない混合気となって燃焼室７に噴出し、低ＮＯｘ燃焼に寄与する。
【００２２】
（２）気体燃料噴射時
気体燃料供給系統（不図示）を経由して予混合バーナ９に導かれた気体燃料１０１は、燃料ヘッダー１５（図１参照）を介して各気体燃料配管２０３に分配され、気体燃料配管２０３を介して各スリット２０１の流路内に噴出する。スリット２０１には圧縮機１（図１参照）からの圧縮空気１００が流入しており、スリット２０１に噴出した気体燃料１０１は圧縮空気１００に同伴して予混合室２００で旋回流を形成する。こうして気体燃料１０１を同伴した旋回流は他のスリット２０１から同様にして流入した旋回流と衝突し、このこと等によって気体燃料１０１と圧縮空気１００との混合が促進され、混合むらの少ない混合気となって燃焼室７に噴出し、やはり低ＮＯｘ燃焼に寄与する。
【００２３】
５．効果
（１）コーキング抑制
図４Ａは比較例における混合室壁内周面付近の燃料液滴の挙動を模式的に示した図であって当該混合室壁の中心軸に直交する断面を表す図である。比較例はスリットの代わりに空気導入用の孔Ｈを混合室壁の周方向に複数個設け、この孔Ｈの環状列を軸方向に複数配置したものを想定している。図４Ａに示した図は、孔Ｈを含むように切断した混合室壁の断面図の一部であり、この断面は混合室壁の中心軸に直交する断面である。
【００２４】
同図に示すように、比較例では周方向に隣接する孔Ｈ同士が混合室壁の内周面上で接しておらず、周方向の隣り合う孔Ｈの間に間隔、すなわち混合室壁の内周壁面が介在する（領域Ｘ参照）。孔Ｈから吹き出す圧縮空気Ａの流れから外れた領域Ｘは圧縮空気１００の流れの淀み域となるため、同図に示したように、領域Ｘに飛来した燃料液滴Ｄが混合室壁のこの領域Ｘにおける内周壁面に付着してコーキングを発生させる恐れがあった。
【００２５】
図４Ｂは本実施形態における混合室壁内周面付近の燃料液滴の挙動を模式的に示した図であって当該混合室壁の中心軸に直交する断面を表す図である。同図は図４Ａに対応する図であって混合室壁２０の中心軸Ｃに直交する部分断面を表している。
【００２６】
図４Ｂに示したように、本実施形態の場合、周方向に隣接するスリット２０１の間を隔てる混合室壁断面は混合室壁内周面に頂部が位置する楔形に形成されているため、混合室壁２０におけるスリット２０１が存在する軸方向範囲には、巨視的に見れば内周壁面が存在せず予混合室２００の外周部は全面的にスリット２０１の出口開口に臨んでいる。そのため、図４Ａの領域Ｘで発生したような淀み域の発生を抑制し、スリット２０１から吹き出す空気流に液滴を干渉させることができる。これにより、予混合室２００の外周部に飛来した液体燃料１０２の液滴の混合室壁２０への付着、ひいてはコーキングの発生を抑制することができ、予混合バーナ９の高い信頼性を確保することができる。
【００２７】
また、本実施形態の場合、中心軸Ｃを含む面と平行な面状にスリット２０１を形成してあるので、図３Ｂ及び図３Ｃに示したように軸方向のどの位置の断面でもスリット２０１は円形の予混合室２００に対して接線に沿って接続し、隣接するスリット２０１を隔てる壁断面が楔型であるため、予混合室２００の軸方向全域に亘って淀み域の発生を抑制することができるメリットがある。
【００２８】
（２）混合性能の向上
本実施形態によれば、予混合室２００の外周部付近に燃料液滴が飛来しても混合室壁２０の壁面への付着を抑制できるので、液体燃料ノズル１０に燃料噴霧角の広いものを使用することができる。燃料噴霧角が広がれば予混合室２００内の広域に燃料が分散するので、液体燃料１０２と圧縮空気１００との混合が促進され、また液滴の中心軸方向の速度成分が下がる。これにより、予混合室２００における液滴の滞留時間を長くすることができ、液滴の蒸発を促進して更なるＮＯｘ低減の効果も期待できる。
【００２９】
（第２実施形態）
図５は本発明の第２実施形態に係る予混合バーナの外観を表す側面図、図６Ａは図５に示した予混合バーナの中心軸を含む縦断面図、図６Ｂは図６Ａ中のVIB−VIB線による矢視断面図、図６Ｃは図６Ａ中のVIC−VIC線による矢視断面図、図６Ｄは図６Ａ中のVID−VID線による矢視断面図である。これらの図において既出図面と同様の部分には同符号を付し説明を省略する。
【００３０】
本実施形態が第１実施形態と相違する点は、図５に示す通り、混合室壁２０の側面から見てスリット２０１を混合室壁２０の中心軸Ｃに対して一方向に角度αで傾斜させた点である。第１実施形態のスリット２０１を矩形の板状の物体と考えた場合、液体燃料ノズル１０側の辺を軸にして、反対側の辺が予混合室２００の法線と重なるように傾斜させたような構成である。
【００３１】
したがって、中心軸Ｃに直交する混合室壁２０の断面で見ると、スリット２０１の液体燃料ノズル１０側の端部における流路断面は、図６Ｂに示した通り予混合室２００の接線に沿って予混合室２００に接続している。この位置での断面の態様は第１実施形態のスリット２０１と同等である。図６Ｃ、図６Ｄの順に見て分かる通り、中心軸Ｃに直交する断面で見ると、断面位置が中心軸Ｃに沿って燃焼室７に近付くにつれて、スリット２０１の流路断面の中心線（厳密にはその延長線）がスリット２０１の角度αの傾斜に応じて平行移動して中心軸Ｃに近付き、中心軸Ｃに対するスリット２０１の流路断面のオフセット量Ｒが減少していく。その結果、スリット２０１の燃焼室７側の端部位置ではオフセット量Ｒはゼロになり、この位置における流路断面の中心線の延長線は中心軸Ｃと交わっている。
【００３２】
なお、前述した角度αは、混合室２００の半径ｒ、中心軸方向にとったスリット２０１の長さＬを用いると次式のように表される。
α＝ｔａｎ−１（Ｌ／ｒ）
その他の構成は第１実施形態と同様である。
【００３３】
本実施形態の場合、燃焼室７に近付くほど中心軸Ｃに対するスリット２０１の流路断面のオフセット量が減少していくので、同じスリット２０１から吹き出す圧縮空気１００でも液体燃料ノズル１０に近い位置では強い旋回流を形成するのに対し、燃焼室７に位置が近付くに連れて徐々に旋回を弱めて中心軸Ｃ（予混合室２００の径方向中心）に向かう流れになっていく。したがって、予混合室２００における液体燃料ノズル１０に近い領域においては第１実施形態と同様の作用が得られ、燃焼室７に近い領域においては中心軸Ｃに向かう圧縮空気１００の流れによって噴霧燃料の広がりを抑えることによって混合室壁２０への液滴の付着を抑制することができる。さらには、燃焼室７に近い領域においては、噴霧燃料の中心部に圧縮空気１００を供給することができるので、液体燃料１０２と圧縮空気１００の混合促進効果が見込まれる。したがって、本実施形態によれば、第１実施形態と同等の信頼性を維持しつつ更なる低ＮＯｘ化の効果が期待できる。
【００３４】
（第３実施形態）
図７は本発明の第３実施形態に係る予混合バーナの外観を表す側面図、図８Ａは図７に示した予混合バーナの中心軸を含む縦断面図、図８Ｂは図８Ａ中のVIIIB−VIIIB線による矢視断面図、図８Ｃは図８Ａ中のVIIIC−VIIIC線による矢視断面図、図８Ｄは図８Ａ中のVIIID−VIIID線による矢視断面図である。これらの図において既出図面と同様の部分には同符号を付し説明を省略する。
【００３５】
本実施形態が第１実施形態と相違する点は、図７に示す通り、混合室壁２０の側面から見てスリット２０１を混合室壁２０の中心軸Ｃに対して一方向に角度β（＞α）で傾斜させた点である。第１実施形態のスリット２０１を矩形の板状の物体と考えた場合、液体燃料ノズル１０側の辺を軸にして、燃焼室７側の辺が中心軸Ｃを越えて予混合室２００の接線と重なるように傾斜させたような構成である。
【００３６】
したがって、中心軸Ｃに直交する混合室壁２０の断面で見ると、スリット２０１の液体燃料ノズル１０側の端部における流路断面は、図８Ｂに示した通り予混合室２００の接線に沿って予混合室２００に接続している。この位置での断面の態様は第１実施形態のスリット２０１と同等である。図８Ｃ、図８Ｄの順に見て分かる通り、中心軸Ｃに直交する断面で見ると、断面位置が中心軸Ｃに沿って燃焼室７に近付くにつれて、スリット２０１の流路断面の中心線（厳密にはその延長線）がスリット２０１の角度βの傾斜に応じて平行移動していく。スリット２０１の軸方向中央位置で、中心軸Ｃに対するスリット２０１の流路断面のオフセット量Ｒがゼロになる（図８Ｃ参照）。その後、さらに断面位置が燃焼室７に近付いていくと、スリット２０１の流路断面の中心線は中心軸Ｃを跨いで平行移動していき、オフセット量Ｒは増加していく。スリット２０１の燃焼室７側の端部における流路断面は、予混合室２００の接線に沿って予混合室２００に接続している（図８Ｄ参照）。図８Ｄにおけるスリット２０１の流路断面は、図８Ｂにおけるスリット２０１の流路断面と中心軸Ｃを挟んで反対側に位置し、両図の流路断面は互いに平行であり、同一方向から予混合室２００に接続している。
【００３７】
なお、前述した角度αは、混合室２００の半径ｒ、中心軸方向にとったスリット２０１の長さＬを用いると次式のように表される。
β＝ｔａｎ−１（Ｌ／２ｒ）
その他の構成は第１実施形態と同様である。
【００３８】
本実施形態の場合、液体燃料ノズル１０側と燃焼室７側とで中心軸Ｃに対するスリット２０１の流路断面のオフセット方向が逆転するので、同じスリット２０１から吹き出す圧縮空気１００でも、スリット２０１の中心軸Ｃ方向の中央部では中心軸Ｃに向かい（図８Ｃ参照）、これによりも液体燃料ノズル１０側の位置では時計回り方向に旋回する旋回流１０６を形成し（図８Ｂ参照）、燃焼室７側の位置では反時計回り方向に旋回する旋回流１０７を形成する（図８Ｄ参照）。したがって、予混合室２００における液体燃料ノズル１０側から中心軸Ｃ方向の中央部付近にかけては第２実施形態と同様の作用が得られ、燃焼室７に近い領域においては噴霧燃料の外側が噴霧燃料の旋回方向（旋回流１０６の旋回方向）と逆向きに旋回する旋回流１０７の層で覆われるため、混合室壁２０への液滴の付着をより抑制することができる。
【００３９】
さらに、図８Ｄに示したように、予混合室２００の燃焼室７側の領域では、中心軸Ｃ方向の中央付近で縮流した噴霧燃料が、旋回流１０６による旋回成分を保持したまま逆向きの旋回流１０７で覆われる。そのため、噴霧燃料と旋回流１０７の境界付近には大きな速度差による強いせん断力が作用し、このせん断力によって液滴を再微粒化することができ、液体燃料１０２と圧縮空気１００の混合促進を図ることができるため、第１及び第２実施形態と比べても更なる低ＮＯｘ化の効果が期待できる。
【００４０】
（その他）
以上においては、気体燃料１０１と液体燃焼１０２の双方を用いることができるデュアルバーナに発明を適用した場合を例示挙げて説明した。デュアルバーナは燃料選択の自由度が高く、従来の天然ガスや油燃料のみならずバイオ燃料等の多様な燃料の使用にも対応することができ、地球温暖化対策に貢献することができる。しかしながら、発明の適用対象はこの種のデュアルバーナに限定されず、液体燃料専焼のバーナにも本発明は適用することができる。
【符号の説明】
【００４１】
１          圧縮機
２          燃焼器
３          タービン
９          予混合バーナ
１０，１１  液体燃料ノズル
２０        混合室壁
１００      圧縮空気
１０２      液体燃料
１０４      燃焼ガス
１０５      拡散火炎
２００      予混合室
２０１      スリット
【図１】
2016035358.tif 000003
【図２】
2016035358.tif 000004
【図３Ａ】
2016035358.tif 000005
【図３Ｂ】
2016035358.tif 000006
【図３Ｃ】
2016035358.tif 000007
【図４Ａ】
2016035358.tif 000008
【図４Ｂ】
2016035358.tif 000009
【図５】
2016035358.tif 000010
【図６Ａ】
2016035358.tif 000011
【図６Ｂ】
2016035358.tif 000012
【図６Ｃ】
2016035358.tif 000013
【図６Ｄ】
2016035358.tif 000014
【図７】
2016035358.tif 000015
【図８Ａ】
2016035358.tif 000016
【図８Ｂ】
2016035358.tif 000017
【図８Ｃ】
2016035358.tif 000018
【図８Ｄ】
2016035358.tif 000019